(57)【要約】【課題】  携帯電話機に記憶されている動画を、極めて簡単な操作でＷｅｂサーバに投稿することができる投稿方法およびその投稿システムを提供する。【解決手段】  動画を投稿する投稿者としてのユーザ登録を行なうためにユーザ登録用Ｗｅｂサイトをアクセスしたユーザの携帯電話機から、少なくとも、この携帯電話機の機体番号を取得し、この取得した携帯電話機の機体番号に対して所定の桁数を有する固有の識別情報となるチャンネル番号を発行する。そして、ユーザ登録を行なった投稿者の携帯電話機に記憶されている動画を投稿するときに、この携帯電話機が備えている機体番号に対して発行されたチャンネル番号と関連付けしてメールサーバに送信するようにしている動画投稿システムである。【選択図】図１
2008071330.tif 000002
【特許請求の範囲】
【請求項１】
動画を投稿する投稿者の携帯電話機から投稿される動画を、メールサーバを介してＷｅｂサーバにアップロードして記憶し、前記Ｗｅｂサーバに記憶された動画を視聴者の携帯電話機に配信するサービスを行なうシステムの動画投稿方法において、
前記動画を投稿する前記投稿者としてのユーザ登録を行なうためにユーザ登録用Ｗｅｂサイトをアクセスした前記ユーザ登録を行なうユーザの携帯電話機から、少なくとも、該携帯電話機の機体番号を取得するステップと、前記取得した前記携帯電話機の機体番号に対して、所定の桁数を有する固有の識別情報となるチャンネル番号を発行するステップと、
前記ユーザ登録を行なった前記投稿者の携帯電話機に記憶された動画を、該携帯電話機に対応する前記チャンネル番号又は前記機体番号と関連付けして前記メールサーバに投稿するステップと、
を備えていることを特徴とする携帯電話機からの動画の投稿方法。
【請求項２】
前記チャンネル番号を発行するステップで発行した前記チャンネル番号を、該チャンネル番号に対応する機体番号を有する前記携帯電話機に送信するステップを備えていることを特徴とする請求項１に記載の携帯電話機からの動画の投稿方法。
【請求項３】
動画を投稿する投稿者の携帯電話機から投稿される動画を、メールサーバを介してＷｅｂサーバにアップロードして記憶し、前記Ｗｅｂサーバに記憶された動画を視聴者の携帯電話機に配信するサービスを行なう動画投稿システムにおいて、
前記動画を投稿する前記投稿者としてのユーザ登録を行なうためにユーザ登録用Ｗｅｂサイトをアクセスした前記ユーザ登録を行なうユーザの前記携帯電話機から、少なくとも該携帯電話機の機体番号を取得する機体番号取得手段と、
前記機体番号取得手段により取得した前記機体番号に対して、所定の桁数を有する固有の識別情報となるチャンネル番号を発行するチャンネル番号発行手段と、
前記ユーザ登録を行なった投稿者の携帯電話機に記憶された動画を、該携帯電話機に対応する前記チャンネル番号又は前記機体番号と関連付けして前記メールサーバに投稿するための動画投稿支援手段と、
を備えていることを特徴とする携帯電話機からの動画投稿システム。
【請求項４】
動画を投稿する投稿者の携帯電話機から投稿される動画を、メールサーバを介してＷｅｂサーバにアップロードして記憶し、前記Ｗｅｂサーバに記憶された動画を視聴者の携帯電話機に配信するサービスを行なう動画投稿システムにおいて、
前記動画を投稿する前記投稿者としてのユーザ登録を行なうためにユーザ登録用Ｗｅｂサイトをアクセスした前記帯電話機から、少なくとも該携帯電話機の機体番号を取得する機体番号取得手段と、
前記機体番号取得手段が取得した前記機体番号に対して、所定の桁数を有する固有の識別情報となるチャンネル番号を発行するチャンネル番号発行手段と、前記ユーザ登録を行なった前記投稿者の携帯電話機に記憶された動画を、該携帯電話機に対応する前記チャンネル番号又は前記機体番号と関連付けして前記メールサーバに投稿するための動画投稿支援手段とを有する管理サーバと、
を備えていることを特徴とする携帯電話機からの動画投稿システム。
【請求項５】
前記チャンネル番号発行手段が発行した前記チャンネル番号を、該チャンネル番号に対応する機体番号を有する前記携帯電話機に送信するためのチャンネル番号送信手段を備えていることを特徴とする請求項３または請求項４に記載の携帯電話機からの動画投稿システム。
【請求項６】
前記管理サーバは、少なくとも、
前記携帯電話機から取得した機体番号と
前記機体番号に対して前記チャンネル番号発行手段が発行した前記チャンネル番号と、
前記機体番号を有する携帯電話機から前記動画を投稿するために、前記動画をメールに添付して前記メールサーバに送信する送信先のアドレスと、
を関連付けして登録したデータベースを備えていることを特徴とする請求項４に記載の携帯電話機からの動画投稿システム。
【発明の詳細な説明】
【技術分野】
【０００１】  本発明は、ユーザの携帯電話機から動画をインターネットを介して投稿し、この投稿された動画をＷｅｂサーバに記憶すると共に、Ｗｅｂサーバに記憶した動画を、視聴者の携帯電話機に配信するサービスを行なう動画投稿システムに関し、特に、動画の投稿方法およびその投稿システムに関するものである。
【背景技術】
【０００２】  近年の携帯電話機の機能向上、特に携帯電話機の通信速度の向上に伴なって、携帯電話機で撮像した音声を含む動画像をメールに添付して家族や友人に送信することが広く行なわれるようになってきた。また、インターネットを利用した情報配信技術の発展に伴なって、Ｗｅｂサーバに蓄積した動画像のファイル（以下、動画という）を、視聴者の携帯電話機に配信するサービスを行なうシステムも実用化されている。【０００３】  インターネットを利用して、視聴者の携帯電話機に動画を配信するシステムとしは、例えば、下記特許文献に記載の発明が提案されている。【０００４】
【特許文献１】  特開２００２−１９０８６７号公報
【特許文献２】  特開２００４−２２２１２４号公報
【０００５】  特許文献１には、動画コンテンツを配信するサービスサイト内に、携帯電話機に配信する動画コンテンツを格納した動画コンテンツ記憶部と、動画あるいは静止画の宣伝広告データを格納した宣伝広告データ記憶部等を設けたシステムとし、動画コンテンツの配信サービスサイトをアクセスして動画の配信要求を行った携帯電話機に、動画コンテンツと宣伝広告コンテンツを配信する動画配信サービス方法が提案されている。【０００６】  特許文献２には、携帯電話機からの動画ファイルのダウンロード要求に対して、動画配信サーバは、動画ファイルをダウンロードする携帯電話機の機種を判定して、画面サイズ、色数等の動画生成パラメータを決定する。そして、この動画生成パラメータに基づいてダウンロード用動画ファイルを生成して、配信要求を行なった携帯電話機に配信する処理を行なう動画配信サーバが提案されている。
【発明の開示】
【発明が解決しようとする課題】
【０００７】  上記特許文献１及び特許文献２に記載の発明は、動画配信サービスを行なうＷｅｂサイトに記憶されている動画を、配信要求を行なった携帯電話機に配信するシステムに関するものである。従って、携帯電話機で撮像した動画をＷｅｂサーバにアップロードして記憶（格納）し、このＷｅｂサーバに記憶した動画を、配信要求を行なう視聴者の携帯電話機に配信するようにしたシステムではない。【０００８】  前記したように、近年の携帯電話機の性能・機能向上に伴なって、携帯電話機で撮像した動画を、この携帯電話機の所有者がＷｅｂサーバにアップロードして記憶し、このＷｅｂサーバに記憶した動画を視聴者の携帯電話機に配信する動画配信サービスシステムが、一つのビジネスとして今後大いに開発され、実用化されるものと思われる。既に、携帯電話機で撮像した動画を投稿してＷｅｂサーバに記憶し、このＷｅｂサーバに記憶した動画を視聴者の携帯電話機に配信するサービスを行なうシステムが提案されている。【０００９】  このような、携帯電話機で撮像した動画を、この携帯電話機からＷｅｂサーバに投稿（アップロード）するようにした動画の投稿・配信システムにおいては、携帯電話機の簡単な操作で携帯電話機から動画を投稿することができ、かつ、ユーザ登録した投稿者が繰り返して動画を投稿するときに、携帯電話機の簡単な操作で投稿することができるようにすることが重要になる。【００１０】  そこで、本発明の目的は、携帯電話機に記憶されている動画を、インターネットを介して投稿するサービスを行なう動画投稿システムにおいて、ユーザ登録を行なったユーザは、直ちに、携帯電話機に記憶されている動画を極めて簡単な操作で投稿することができるようにした、携帯電話機からの動画の投稿方法およびその投稿システムを提供することにある。
【課題を解決するための手段】
【００１１】  本発明は、動画を投稿する投稿者の携帯電話機から投稿される動画を、メールサーバを介してＷｅｂサーバにアップロードして記憶し、前記Ｗｅｂサーバに記憶された動画を視聴者の携帯電話機に配信するサービスを行なうシステムの動画投稿方法において、
前記動画を投稿する前記投稿者としてのユーザ登録を行なうためにユーザ登録用Ｗｅｂサイトをアクセスした前記ユーザ登録を行なうユーザの携帯電話機から、少なくとも、該携帯電話機の機体番号を取得するステップと、前記取得した前記携帯電話機の機体番号に対して、所定の桁数を有する固有の識別情報となるチャンネル番号を発行するステップと、
前記ユーザ登録を行なった前記投稿者の携帯電話機に記憶された動画を、該携帯電話機に対応する前記チャンネル番号又は前記機体番号と関連付けして前記メールサーバに投稿するステップと、
を備えている携帯電話機からの動画の投稿方法である。【００１２】  さらに、本発明は、前記チャンネル番号を発行するステップで発行した前記チャンネル番号を、該チャンネル番号に対応する機体番号を有する前記携帯電話機に送信するステップを備えている携帯電話機からの動画の投稿方法である。【００１３】  また、本発明は、動画を投稿する投稿者の携帯電話機から投稿される動画を、メールサーバを介してＷｅｂサーバにアップロードして記憶し、前記Ｗｅｂサーバに記憶された動画を視聴者の携帯電話機に配信するサービスを行なう動画投稿システムにおいて、
前記動画を投稿する前記投稿者としてのユーザ登録を行なうためにユーザ登録用Ｗｅｂサイトをアクセスした前記ユーザ登録を行なうユーザの前記携帯電話機から、少なくとも該携帯電話機の機体番号を取得する機体番号取得手段と、
前記機体番号取得手段により取得した前記機体番号に対して、所定の桁数を有する固有の識別情報となるチャンネル番号を発行するチャンネル番号発行手段と、
前記ユーザ登録を行なった投稿者の携帯電話機に記憶された動画を、該携帯電話機に対応する前記チャンネル番号又は前記機体番号と関連付けして前記メールサーバに投稿するための動画投稿支援手段と、
を備えている携帯電話機からの動画投稿システムである。【００１４】  さらに、本発明は、動画を投稿する投稿者の携帯電話機から投稿される動画を、メールサーバを介してＷｅｂサーバにアップロードして記憶し、前記Ｗｅｂサーバに記憶された動画を視聴者の携帯電話機に配信するサービスを行なう動画投稿システムにおいて、
前記動画を投稿する前記投稿者としてのユーザ登録を行なうためにユーザ登録用Ｗｅｂサイトをアクセスした前記帯電話機から、少なくとも該携帯電話機の機体番号を取得する機体番号取得手段と、
前記機体番号取得手段が取得した前記機体番号に対して、所定の桁数を有する固有の識別情報となるチャンネル番号を発行するチャンネル番号発行手段と、前記ユーザ登録を行なった前記投稿者の携帯電話機に記憶された動画を、該携帯電話機に対応する前記チャンネル番号又は前記機体番号と関連付けして前記メールサーバに投稿するための動画投稿支援手段とを有する管理サーバと、
を備えている携帯電話機からの動画投稿システムである。【００１５】  さらに、本発明は、前記チャンネル番号発行手段が発行した前記チャンネル番号を、該チャンネル番号に対応する機体番号を有する前記携帯電話機に送信するためのチャンネル番号送信手段を備えている携帯電話機からの動画投稿システムである。【００１６】  さらに、本発明は、前記管理サーバは、少なくとも、
前記携帯電話機から取得した機体番号と
前記機体番号に対して前記チャンネル番号発行手段が発行した前記チャンネル番号と、
前記機体番号を有する携帯電話機から前記動画を投稿するために、前記動画をメールに添付して前記メールサーバに送信する送信先のアドレスと、
を関連付けして登録したデータベースを備えている携帯電話機からの動画投稿システムである。【００１７】  なお、上記した携帯電話機から投稿される動画とは、携帯電話機で撮像した３ＧＰＰ（３ｒｄ  Ｇｅｎｅｒａｔｉｏｎ  Ｐａｒｔｎｅｒｓｈｉｐ  Ｐｒｏｊｅｃｔ）、または３ＧＰＰ２（３ｒｄ  Ｇｅｎｅｒａｔｉｏｎ  Ｐａｒｔｎｅｒｓｈｉｐ  Ｐｒｏｊｅｃｔ２）形式等の動画像のファイルであって、音声を含んでいてもよい。もちろん、静止画像のファイルであってもよい。また、これらの動画は携帯電話機のメモリ（記憶装置）に記憶された動画の他に、携帯電話機のメモリカードに記憶された動画であってもよい。【００１８】  上記した動画の投稿者（ユーザ）とは、本発明のシステムを利用して携帯電話機から動画を投稿するためのユーザ登録を行なった者を示し、個人の他に、企業や各種団体等に属する者を含んでもよい。なお、上記した投稿とは、携帯電話機に記憶されている動画ファイル（以下、単に動画という）を、メールに添付して本システムが管理するメールサーバに送信することを示す。【００１９】  また、上記したチャンネル番号とは、５〜１２桁程度の数字あるいは英数字から構成される固有の識別番号である。このチャンネル番号は、動画を投稿するために使用する投稿者の携帯電話機の機体番号を本システムに登録したこの携帯電話機について、この機体番号に対して発行される一つの識別番号である。そして、本発明においては、このチャンネル番号は投稿者の携帯電話機から投稿される動画を識別するために使用する情報になる。
【発明の効果】
【００２０】  本発明は、次のような効果を有している。
（１）動画を投稿する投稿者は、ユーザ登録を行なうためのＷｅｂサイトをアクセスして携帯電話機の機体番号を登録してチャンネル番号の発行を受けると、直ちに、携帯電話機に記憶している動画を、極めて簡単な操作で投稿することができるようになる。【００２１】  （２）ユーザ登録を行なった投稿者の携帯電話機の機体番号ごとに、固有のチャンネル番号を発行し、このチャンネル番号を投稿者が携帯電話機から投稿する動画に関連付けすると共に、投稿されて配信サーバに記憶する動画を、このチャンネル番号と関連付けした記憶領域（ＵＲＬ（Ｕｎｉｆｏｒｍ  Ｒｅｓｏｕｒｃｅ  Ｌｏｃａｔｏｒ））に記憶する処理を行なうようにしている。これにより、携帯電話機の機体番号を登録した投稿者は、携帯電話機で撮像した新しい動画を、何時でも、かつ、繰り返して、簡単な操作で投稿することが可能になるので、視聴者は最新の投稿された動画を視聴することができるようになる。
また、管理サーバが動画の投稿制御と配信制御を統括して行なうようにしているので、管理サーバは、複数の動画投稿システムを統括して制御することも可能になる。
【発明を実施するための最良の形態】
【００２２】  以下、本発明を実施するための形態を、図面に基づいて説明する。図１は、本発明のシステムを実施するためのシステム構成の一例を示す。【００２３】［システム構成］
図１において、１ａ、１ｂはユーザ登録を行なって、動画を投稿する各投稿者の携帯端末（以下、携帯電話機という）、２は本システムの受付サイトのサーバ（以下、受付サイトという）、３は管理サーバ、４はメールサーバ、５はストックサーバ、５ａはストックサーバ５をアクセスするための端末装置、６ａ、６ｂは配信サーバ、７ａ、７ｂは視聴者の携帯電話機である。【００２４】  上記した受付サイト２、管理サーバ３、メールサーバ４、ストックサーバ５、端末装置５ａ、配信サーバ６ａ、６ｂは、インターネット８に接続されている。また、ユーザの携帯電話機１ａ、１ｂ、及び視聴者の携帯電話機７ａ、７ｂは、地上基地局９、携帯電話機のサービス会社のサーバ１０を介してインターネット８に接続されている。【００２５】  携帯電話機１ａ、１ｂは、インターネット接続機能とカメラ機能、及びメール送受信機能を備えている必要がある。このカメラ機能としては、本システムの機能をより発揮するために、３ＧＰＰ、または３ＧＰＰ２等により策定された仕様等を備え、音声を含む動画像の撮像と再生機能を備えていることがより望ましい。以下の説明において、携帯電話機１ａ、１ｂを代表して説明するときは、携帯電話機１ａと記述する。【００２６】  受付サイト２は、本動画投稿システムを利用して動画の投稿を希望するユーザについて、ユーザ登録を行なってそのユーザに係わる属性情報を取得するためユーザ登録用Ｗｅｂページ、投稿された動画について視聴者が配信要求を行なうときにアクセスするためのＷｅｂページ等を備えており、主として、本システムを利用して動画を投稿するユーザ登録と、視聴者が配信要求を行なうための受付用のサイトになる。【００２７】  受付サイト２がユーザの携帯電話機１ａ、１ｂから取得する前記ユーザ登録を行なうユーザに係わる属性情報としては、少なくとも投稿者が所有している携帯電話機１ａの機体番号を取得するようにする。また、この機体番号の他に、必要に応じて、投稿者の氏名、住所、メールアドレス、携帯電話機の電話番号、等を取得するようにする。これら取得したユーザに係わる属性情報のうち、特定の情報は受付サイト２と管理サーバ３が備えているデータベースに登録される。【００２８】  また、受付サイト２が視聴者の携帯電話機７ａからの配信要求を受付けるためのＷｅｂページとしては、例えば、配信要求を行なうための動画を検索するためのＷｅｂページ等を備えているようにする。この検索用Ｗｅｂページは、例えば、投稿者の氏名（企業名やニックネームも含む）、動画のタイトル名、投稿日、動画の分野（ジャンル）等から検索された投稿実績一覧表を出力するようにする。そして、視聴者は携帯電話機に表示されたこの一覧表から、配信要求ができるようにする。【００２９】  管理サーバ３は本システムにおいて必須のサーバであって、動画の投稿と配信の制御を統括して実行するために設けている。管理サーバ３は、主として下記（１）〜（４）に記載の機能を備えている。【００３０】  （１）投稿者が携帯電話機１ａから受付サイト２をアクセスしてユーザ登録を行なったときに、受付サイト２がこの投稿者の携帯電話機１ａから取得した携帯電話機１ａの機体番号に対して、プログラム処理によ���固有のチャンネル番号を発行する処理を行なう。そして、発行したチャンネル番号を、このチャンネル番号を発行した機体番号を有している携帯電話機１ａに送信するための処理を行なう。これにより、投稿者は本システムに対してユーザ登録が完了したことを確認できる。【００３１】  （２）管理サーバ３は、投稿者が携帯電話機１ａから動画を投稿するときにアクセスするサーバになる。そして、携帯電話機１ａが管理サーバ３をアクセスして動画を投稿する操作を行なうと、管理サーバ３は携帯電話機１ａの機体番号を取得する処理を行なって、この機体番号が予めデータベースに登録されているか否かを確認する処理を行なう。【００３２】  （３）投稿者が携帯電話機１ａから投稿する動画を、メールサーバ４に送信（投稿）するための支援と制御を行なう。この投稿支援は、主として、管理サーバ３が携帯電話機１ａに表示するＷｅｂページにより行なう。さらに、携帯電話機１ａから投稿される動画は、この携帯電話機１ａの機体番号に対して発行されたチャンネル番号と関連付けされて投稿されるように処理すると共に、配信サーバ６ａ、６ｂの所定の記憶領域（ＵＲＬ）、すなわち、チャンネル番号と関連付けされたＵＲＬに記憶するための制御を行なう。【００３３】  （４）視聴者の携帯電話機７ａが受付サイト２をアクセスして動画の配信要求を行なうと、受付サイト２からの配信指示に係わる情報の受信に基づいて、配信サーバ６ａ、６ｂに記憶されている動画を携帯電話機７ａに配信するための制御を行なう。【００３４】  また、管理サーバ３は、上記した機能を実行するために、各種のプログラムとデータベース（データテーブル）を備えている。これらの詳細については後記する。【００３５】  メールサーバ４は、ユーザの携帯電話機１ａに記憶されている動画をメールに添付して投稿するときに、そのメールの送信先のサーバである。メールサーバ４は、携帯電話機１ａから動画のファイルを添付したメールを受信すると、管理サーバ３とデータ通信を行なって所定の処理を行なうためのプログラム（メール受信処理プログラム）を備えている。なお、メールサーバ４が受信した動画ファイルは、管理サーバ３の制御に従ってストックサーバ５に送信される。【００３６】  ストックサーバ５は、メールサーバ４から送信された動画を一時的に記憶して、メールサーバ４から送信された動画について、下記（１）〜（２）に記載の処理を行なうサーバである。【００３７】  （１）メールサーバ４から送信された動画について、本システムの管理者側（承認管理者）が端末装置５ａを操作して視聴し、公序良俗に反するような有害な動画が投稿されているか否かを判定する。そして、公序良俗に反するような有害な動画が投稿されていると判定された場合には、この動画を配信サーバ６ａに記憶しない処理を行なう。すなわち、有害な動画の投稿は受付けない処理を行なう。【００３８】  （２）上記（１）により、有害ではないと判定された動画について、企業等の広告情報からなる動画あるいは静止画像（広告映像）を結合した広告映像付きの動画ファイルを作成する処理を行なう。すなわち、投稿された動画ファイルの先頭位置、あるいは終端位置、又は先頭位置と終端位置に広告映像を結合した一つの動画ファイルからなる広告映像付きの動画ファイルを作成する。この広告映像は、携帯電話機で再生して視聴するときにその視聴時間が、例えば、５〜１０秒程度になるようにする。【００３９】  上記した端末装置５ａは、ストックサーバ５をアクセスするためのパーソナルコンピュータから構成され、ＷｅｂサイトをアクセスするためのソフトウエアであるＷｅｂブラウダ、動画を再生するためのソフトウエア、等を備えている。【００４０】  本システムにおいて、ストックサーバ５と端末装置５ａは、必ずしも設ける必要はないが、上記のように公序良俗に反するような有害な動画が投稿されているか否かを、本システムの管理者側が視聴して判定する手段を設けることが望ましい。この理由は、前記したように、今後の携帯電話機の通信速度の向上に伴なって、携帯電話機で撮像した動画を配信するサービスを行なう各種のシステムの急速な普及が予想され、公序良俗に反するような有害な動画がアップロードされる可能性が生じるからである。【００４１】  また、上記したように、投稿者が投稿した動画に企業等の広告情報からなる動画を結合した広告映像付き動画を視聴者の携帯電話機７ａに配信するようにすると、本システムの管理者側はこの広告映像付き動画を配信することに対して、広告主から対価を得ることが可能になる。これにより、本システムを利用して投稿者が動画を投稿する料金、及び視聴者が動画を配信要求する料金等を無料にすることが可能になるという効果が生じる。【００４２】  配信サーバ６ａ、６ｂは、ストックサーバ５により広告映像データを結合した動画ファイルを、所定の記憶領域に記憶するためのサーバである。そして、視聴者の携帯電話機７ａから受付サイト２を経由して配信要求が発生すと、管理サーバ３は、この配信サーバ６ａ、６ｂに格納されている動画を視聴者の携帯電話機７ａ、７ｂに配信する制御を行なう。なお、配信サーバ６ａ、６ｂに動画ファイルを記憶するための所定の記憶領域（ＵＲＬ）は、配信サーバ６ａ、６ｂが備えているプログラムにより、例えば、チャンネル番号をディレクトリ情報又はファイル名として含むＵＲＬを作成する処理を行なう。【００４３】  本システムの規模が小さい場合には、配信サーバは１台のみでよいが、システムの規模が大きくなると、配信サーバを複数台備えて動画ファイルを分散して記憶させるようにすることが望ましい。以下の説明において、配信サーバ６ａ、６ｂを代表して説明するときは、配信サーバ６ａと記述する。【００４４】  同様に、本システムの規模の拡大に伴って、受付サイト２、メールサーバ４、ストックサーバ５と端末装置５ａも複数台設置するようにし、管理サーバ３がシステムの制御を統括して行なうようにするとよい。【００４５】  視聴者の携帯電話機７ａ、７ｂは、受付サイト２をアクセスして、動画の配信要求を行なうための端末装置である。携帯電話機７ａ、７ｂは、インターネット接続機能と、３ＧＰＰまたは３ＧＰＰ２形式等の動画像を再生する機能を備えている必要がある。以下の説明において、携帯電話機７ａ、７ｂを代表して説明するときは、携帯電話機７ａと記述する。【００４６】  ［ソフトウエアとデータベースの構成］
続いて、本システムを稼動するために、各サーバが備えているソフトウエア（プログラム）とデータベースの概要を、図２に基づいて説明する。なお、図２にはサーバを稼動させるための基本ソフトウエア（サーバ用ＯＳ）、Ｗｅｂブラウダ、メール用ソフトウエアについては記載していない。【００４７】  受付サイト２は、プログラムとして、ユーザ登録プログラムＰ２１、機体番号取得プログラムＰ２２、動画投稿状況蓄積プログラムＰ２３、配信要求受付プログラムＰ２４、等を備えている。また、データベースとして、投稿者データベースＤ１（以下、投稿者ＤＢ（Ｄ１）という）と、動画投稿状況蓄積データベースＤ２（以下、動画投稿状況蓄積ＤＢ（Ｄ２）という）を備えている。上記プログラムＰ２１〜Ｐ２４は、例えば、Ｗｅｂサイト２が携帯電話機を対象としてインターネット８上に公開する本システムのホームページのメニューをクリックすると作動するプログラムであって、Ｗｅｂページを記述するプログラムと、Ｗｅｂページを介して取得したデータについて所定の処理を行なうプログラムから構成されている。【００４８】  ユーザ登録プログラムＰ２１は、本システムを利用して動画を投稿するユーザ（投稿者）を登録するためのプログラムであって、ユーザ登録用Ｗｅｂページを携帯電話機１ａに表示することにより、ユーザ登録に同意したユーザから、このユーザに係わる属性情報を携帯電話機１ａから取得するためのプログラムである。投稿者（ユーザ）に係わる属性情報としては、少なくとも、ユーザが受付サイト２をアクセスした携帯電話機１ａの機体番号を後記する機体番号取得プログラムＰ２２により取得するようにし、さらに、必要に応じて、携帯電話機１ａからユーザの氏名、住所、メールアドレス、等の属性情報を取得するようにする。【００４９】  なお、上記した携帯電話機の機体番号とは、個々の携帯電話機を識別するための固有の識別情報であって、携帯電話機の製造時に所定の桁数からなる数字、または英数字からなる機体番号が携帯電話機の記憶装置に記憶されるようになっている。そして、パーソナルコンピュータ等の外部装置等から携帯電話機に対してこの機体番号の送信要求を行なうと、携帯電話機は、記憶装置に記憶している機体番号をこの外部装置に送信する処理を行なうプログラムを備えている。本システムにおいては、携帯電話機が備えているこの機能を利用して、機体番号取得プログラムＰ２２は投稿者が所有している携帯電話機１ａの機体番号を取得し、取得した機体番号を投稿者に関する属性情報の一つとして投稿者ＤＢ（Ｄ１）等に登録する処理を行なうようにしている。
また、本発明において、ＩＣチップからなるＩＣカードを搭載した携帯電話機においては、このＩＣカードに記憶されている識別番号を機体番号として登録してもよい。【００５０】  また、本システムにおいては、上記した投稿者を、広告紙面等を利用して募集するようにしてもよい。そして、本システムを利用して動画を投稿することに同意した投稿者について、その投稿者に係わる氏名、住所、メールアドレス、等の属性情報を書面で取得して投稿者ＤＢ（Ｄ１）に予め登録するようにしてもよい。そして、ユーザ登録したユーザの携帯電話機１ａのメールアドレス宛に、携帯電話機の機体番号を取得するための受付サイトのＵＲＬを送信し、ユーザ登録を完了した投稿者の携帯電話機１ａがこのＵＲＬをアクセスすると、後記する機体番号取得プログラムＰ２２により機体番号を取得するようにしてもよい。【００５１】  機体番号取得プログラムＰ２２は、受付サイト２をアクセスしてユーザ登録を行なった投稿者が所有している携帯電話機１ａからこの携帯電話機１ａの機体番号を取得するためのプログラムである。【００５２】  携帯電話機１ａの機体番号を取得する方法としては、例えば、次の方法を採用することができる。受付サイト２のユーザ登録用Ｗｅｂページ（図示せず）は、アクセスしている携帯電話機１ａからこの携帯電話機１ａの機体番号を取得するためプログラムである機体番号取得用Ｗｅｂページとリンクが貼られているようにする。そして、この機体番号取得用Ｗｅｂページには、アクセスした携帯電話機１ａの記憶装置に記憶されている機体番号を読み取って、受付サイト２に送信する処理を行なうプログラムを組み込む。そして、機体番号取得プログラムＰ２２は、携帯電話機１ａから機体番号が送信されると、この取得した機体番号を投稿者ＤＢ（Ｄ１）の該当する欄に登録する処理を行なうと共に、さらに、取得した機体番号を管理サーバ３に送信する処理を行なう。上記した機体番号取得用Ｗｅｂページと機体番号取得プログラムＰ２２は、機体番号取得手段となる。【００５３】  動画投稿状況蓄積プログラムＰ２３は、投稿者が動画を投稿した履歴データを、後記する動画投稿状況蓄積データベースＤ２（以下、動画投稿状況蓄積ＤＢ（Ｄ２））に記憶する処理を行なうためのプログラムである。【００５４】  配信要求受付プログラムＰ２４は、視聴者の携帯電話機７ａが受付サイト２をアクセスして動画の配信要求を行なったときに作動するプログラムであって、各種の配信要求用Ｗｅｂページを備えている。この配信要求用Ｗｅｂページとして、例えば、視聴者が配信要求を行なうための動画を検索するための検索用Ｗｅｂページを備えている。そして、この検索用Ｗｅｂページを利用して、投稿者の氏名（企業名やニックネームも含む）、動画のタイトル名、投稿日、動画の分野（ジャンル）等の検索用語を入力すると、配信要求受付プログラムＰ２４は、動画投稿状況蓄積ＤＢ（Ｄ２）を検索して該当する動画に係わるチャンネル番号を求める処理を行なう。この求めたチャンネル番号は、管理サーバ３に送信することにより、管理サーバ３は配信要求された動画を携帯電話機７ａに配信する制御を行なう。【００５５】  投稿者ＤＢ（Ｄ１）は、本システムを利用して携帯電話機１ａから動画を投稿する投稿者に係わる属性情報を登録したデータベースである。図３は、投稿者ＤＢ（Ｄ１）に登録されているデータ構成の一例を説明するための図である。投稿者ＤＢ（Ｄ１）は、ユーザ登録プログラムＰ２１によって作成され、受付サイト２を構成するＷｅｂサーバ、あるいはデータベース専用のＷｅｂサーバ（図１には図示せず）に記憶されている。【００５６】  図３に示すように投稿者ＤＢ（Ｄ１）には、投稿者名（氏名又は名称）ａ１、投稿者のＩＤ情報となるユーザ名ａ２、パスワードａ３、ユーザが所有している携帯電話機１ａの機体番号ａ４及びメールアドレスａ５、チャンネル番号ａ６、投稿者の住所ａ７、等に関する属性データが登録されている。【００５７】  動画投稿状況蓄積ＤＢ（Ｄ２）は、投稿者が携帯電話機１ａから動画を投稿したときに、この投稿した実績（履歴）に係わる情報を記憶したデータベースである。動画投稿状況蓄積ＤＢ（Ｄ２）のデータ構成の一例を図４に示す。図４に示すように、動画投稿状況蓄積ＤＢ（Ｄ２）には、投稿年月日（時・分も含む）ｂ１、チャンネル番号ａ６の他に、必要に応じて、投稿者名ａ１、動画のタイトル名ｂ２、カテゴリｂ３、等に関する情報が記憶される。【００５８】  管理サーバ３は、図２に示すように、投稿支援プログラムＰ３１、機体番号取得プログラムＰ３２、機体番号認証プログラムＰ３３、チャンネル番号発行プログラムＰ３４、配信制御プログラムＰ３５、データベース作成プログラムＰ３６、等を備えている。また、データベースとして、投稿管理データベースＤ３（以下、投稿管理ＤＢ（Ｄ３）という）、サーバ管理データベースＤ４（以下、サーバ管理ＤＢ（Ｄ４）という）、サーバ別ＵＲＬデータベースＤ５（以下、サーバ別ＵＲＬＤＢ（Ｄ５）という）、等を備えている。【００５９】  投稿支援プログラムＰ３１は、投稿者が携帯電話機１ａから管理サーバ３をアクセスして動画を投稿するときに、投稿者に対してこの動画を投稿する操作を支援するためのプログラムから構成される。これらのプログラムは、主として携帯電話機１ａの表示装置に表示する各種のＷｅｂページを記述するためのプログラムから構成されている。これら各種のＷｅｂページについては後記する。投稿支援プログラムＰ３１とこのプログラムにより上記各種のＷｅｂページは、動画投稿支援手段になる。【００６０】  機体番号取得プログラムＰ３２は、投稿支援プログラムＰ３１に含まれるプログラムの一つであって、投稿者が携帯電話機１ａから管理サーバ３をアクセスして動画を投稿するときに、管理サーバ３をアクセスした投稿者の携帯電話機１ａの機体番号を取得する処理を行なうためのプログラムである。【００６１】  機体番号認証プログラムＰ３３は、機体番号取得プログラムＰ３２が取得した投稿者の携帯電話機１ａの機体番号が、予め投稿管理ＤＢ（Ｄ３）に登録されているか否かを判定する処理、すなわち、ユーザ登録した正当な投稿者が、前もって機体番号を登録した携帯電話機１を使用して動画を投稿しようとしているか否かを認証する処理を行なうためのプログラムである。【００６２】  チャンネル番号発行手段となるチャンネル番号発行プログラムＰ３４は、受付サイト２の機体番���取得プログラムＰ２２がユーザ登録した投稿者の携帯電話機１ａの機体番号を取得したときに、この取得した機体番号に対して所定の桁数を有する固有の識別番号からなるチャンネル番号ａ６を発行するためのプログラムである。
このチャンネル番号は、前記したように、５〜１２桁程度の数字あるいは英数字から構成される固有の識別番号である。チャンネル番号発行プログラムＰ３４は、乱数発生手段が発生した所定の桁数の整数値とチャンネル番号発行時の年月日等をロジック処理により組み合わせて、固有のチャンネル番号を発行する処理を行なうようにする。また、発行したチャンネル番号が既に投稿管理ＤＢ（Ｄ３）に登録されているか否かをチェックし、必ず、固有（唯一）のチャンネル番号を発行する処理を行なうようにする。【００６３】  視聴者が動画の配信要求を行なう場合には、視聴者は携帯電話機７ａを操作して受付サイト２をアクセスする。そして、動画の配信要求を行なうための検索用Ｗｅｂページを操作し、その検索結果、例えば、投稿者（ユーザ名）の一覧リスト等を表示する。続いて、この一覧リストから視聴したい投稿者をキー操作により指定する操作を行なう。すると、受付サイト２の配信要求受付プログラムＰ２４は、指定された投稿者について動画投稿状況蓄積ＤＢ（Ｄ２）に記憶されているチャンネル番号ａ６を求め、このチャンネル番号ａ６を管理サーバ３に送信する処理を行なう。【００６４】  管理サーバ３の配信制御プログラムＰ３５は、受付サイト２から配信要求に係わる上記したチャンネル番号ａ６を受信すると、前記したように、受信したチャンネル番号ａ６に対応する動画を記憶している配信サーバ６ａのＵＲＬを求めて、動画の配信要求を行なった視聴者の携帯電話機７ａに動画を配信する制御を行なう。【００６５】  データベース作成プログラムＰ３６は、投稿管理ＤＢ（Ｄ３）、サーバ管理ＤＢ（Ｄ４）、サーバ別ＵＲＬＤＢ（Ｄ５）を作成するためのプログラムであって、図２には示していないが、それぞれのデータベースを作成するためのプログラムを備えている。【００６６】  管理サーバ３が備えている投稿管理ＤＢ（Ｄ３）は、投稿者が携帯電話機１ａから動画を投稿する操作の支援とこの投稿に関する処理を行なうときに参照するデータベースである。投稿管理ＤＢ（Ｄ３）のデータ構成の一例を図５に示す。【００６７】  投稿管理ＤＢ（Ｄ３）は、機体番号ａ４、この機体番号ａ４に対して発行されたチャンネル番号ａ６、この機体番号ａ４を有する投稿者の携帯電話機１ａに設定されているメールアドレスａ５、この機体番号ａ４を投稿管理ＤＢ（Ｄ３）に登録した登録日ｃ１、この機体番号ａ４（又はチャンネル番号ａ６）を有する携帯電話機１ａから動画を投稿した投稿回数ｃ２、等のデータから構成される。なお、投稿者がユーザ登録を行なって携帯電話機１ａの機体番号を取得したときに、投稿回数ｃ２にはその初期値として「０」を記憶する処理を行なう。【００６８】  サーバ管理ＤＢ（Ｄ４）は、図６に示すように、チャンネル番号発行プログラムＰ３４が発行するチャンネル番号の所定の範囲ｄ１ごとに、サーバ区分ｄ２に関するデータを登録したデータベースである。【００６９】  サーバ別ＵＲＬＤＢ（Ｄ５）は、図７に示すように、サーバ区分ｄ２ごとに、メールサーバ４のアドレス（ｅ１）、ストックサーバ５のＵＲＬ（ｅ２）、配信サーバ６ａ、６ｂのＵＲＬ（ｅ３）に関するデータを登録したデータベースである。メールサーバ４のアドレ���（ｅ１）とは、投稿者の携帯電話機１ａが動画をメールに添付して投稿するときに、メールの送信先となるメールサーバ４のアドレスを示す。ストックサーバ５のＵＲＬ（ｅ２）は、メールサーバ４がストックサーバ５に投稿された動画等のデータを送信するときに、その受信窓口となるＵＲＬを示す。配信サーバ６ａ、６ｂのＵＲＬ（ｅ３）は、ストックサーバ５が投稿された動画に広告映像を結合した広告映像付きの動画等を配信サーバ６ａ又は６ｂに送信するときに、その受信窓口となるＵＲＬを示す。【００７０】  上記した投稿管理ＤＢ（Ｄ３）、サーバ管理ＤＢ（Ｄ４）、サーバ別ＵＲＬＤＢ（Ｄ５）のデータ構成は、機体番号ａ４と、チャンネル番号ａ６と、メールサーバ４のアドレス（ｅ１）と、ストックサーバ５のＵＲＬ（ｅ２）と、配信サーバ６ａ、６ｂのＵＲＬ（ｅ３）と、投稿者の携帯電話機のメールアドレスａ５とを、チャンネル番号ａ６又は機体番号ａ４をキーにして関連（対応）付けしていることに特徴がある。【００７１】  メールサーバ４は、メール受信処理プログラムＰ４を備えている。メール受信処理プログラムＰ４は、投稿者の携帯電話機１ａから送信されたメールの受信処理と、管理サーバ３との通信処理、メールで受信した動画のファイル及び管理サーバ３から受信したデータをストックサーバ４に送信する処理を行なうプログラムから構成されている。【００７２】  ストックサーバ５は、送受信処理プログラムＰ５１、投稿動画承認処理プログラムＰ５２、ファイル変換プログラムＰ５３、広告映像結合プログラムＰ５４、等のプログラムを備えている。【００７３】  また、ストックサーバ５は、配信承認待テーブルＤＴ１、各種の広告映像ファイルをＡＶＩ（Ａｕｄｉｏ  Ｖｉｄｅｏ  Ｉｎｔｅｒｌｅａｖｉｎｇ）形式で記憶した広告映像データベースＤ６（以下、広告映像ＤＢ（Ｄ６）という）、この広告映像ファイルごとに、予め設定された広告映像のタイトル名とこのタイトル名が設定された広告映像を記憶する記憶場所（ディレクトリとファイル名）を登録した広告映像インデックステーブルＤ７（以下、広告映像インデックスＤＴ（Ｄ７）という）、ストックサーバ５にアップロードされた動画を端末装置５ａで視聴して、視聴者への配信許可または不許可に係わる承認情報を入力する承認管理者に関する情報を登録した承認管理者データベースＤ８（以下、承認管理者ＤＢ（Ｄ８）という）を備えている。【００７４】  送受信処理プログラムＰ５１は、メールサーバ４及び配信サーバ６ａ、６ｂ等との通信処理を行なうためのプログラムである。【００７５】  投稿動画承認処理プログラムＰ５２は、投稿者の携帯電話機１ａからメールサーバ４を経由してストックサーバ５にアップロードされた動画を承認管理者に視聴させて、視聴者に配信してよいか否かを示す配信許可または不許可の承認情報を画面と対話方式により入力させる処理を行なうプログラムである。この承認管理者による承認処理は、前記したように、承認管理者が端末装置５ａを操作してストックサーバ５をアクセスすることにより行なわれる。承認管理者が端末装置５ａを操作してストックサーバ５をアクセスすると、ストックサーバ５の投稿動画承認処理プログラムＰ５１は、図８に示す動画承認用ＷｅｂページＫ１を端末装置５ａに表示する処理を行なう。この承認処理に関する操作とその処理内容については、後記する。【００７６】  ファイル変換プログラムＰ５３は、例えば、携帯電話機１ａで撮像した動画（３ＧＰＰ形式または３ＧＰＰ２形式のデータ）をＡＶＩ形式に変換するプログラム、ＡＶＩ形式の動画をそれぞれ３ＧＰＰ形式、あるいは３ＧＰＰ２形式に変換する処理を行なうプログラム等である。これらのファイル変換プログラムは、市販されているプログラム等を使用することができる。【００７７】  広告映像結合プログラムＰ５４は、ユーザから投稿された動画であって上記ファイル変換プログラムＰ５３によりＡＶＩ形式に変換した動画とＡＶＩ形式の広告映像とを、一つのＡＶＩ形式からなる広告付き映像データに結合して、一つのファイルに編集する処理を行なうプログラムである。この広告映像結合プログラムＰ５３は、市販されているプログラム等を流用することができる。【００７８】  上記した動画承認用ＷｅｂページＫ１について説明する。図８に示すように、動画承認用ＷｅｂページＫ１は表示領域Ｋａ、Ｋｂ、Ｋｃ、Ｋｄを備えた１ページから構成されている。このうち、領域ＫａはこのＷｅｂページのタイトルを表示する領域と、例えば、予め端末装置５ａに設定されている承認情報を入力する対象となるチャンネル番号の範囲を表示した領域Ｋａ１と、承認情報を入力していない動画数（新着動画件数）を表示する領域Ｋａ２を備えている。なお、端末装置５ａを１台のみ備えたシステムにおいては、領域Ｋａ１に上記チャンネル番号の範囲を表示する必要はない。また、端末装置５ａを複数台設置した場合には、端末装置ごとあるいは承認管理者ごとに、承認情報を入力する対象となるチャンネル番号の範囲を、予め承認管理者ＤＢ（Ｄ８）等に登録しておくようにするとよい。【００７９】  領域Ｋｂは、ストックサーバ５にアップロードされた動画を順次、承認管理者が視聰（試聴）して、配信許可または不許可の承認情報を入力する領域である。領域Ｋｂには、動画を再生して表示する領域ｈ１、マウスにより視聴（試聴）開始をクリックする領域（試聴ボタン）Ｋｂ１、視聴者への配信許可をマウスで指定して入力する領域（許可ボタン）Ｋｂ２、同じく配信不許可をマウスで指定して入力する領域（不可ボタン）Ｋｂ３を備えている。【００８０】  領域Ｋｃは、領域Ｋｂの操作により配信許可の情報が入力された動画に結合する広告映像を選択する領域Ｋｃ１、Ｋｃ２と、この選択した広告映像を動画に結合する処理を行なう広告映像結合プログラムＰ５４等を作動させるための領域（決定ボタン）Ｋｃ３、領域Ｋｃ１及びＫｃ２で選択された広告映像を再生して表示する領域ｈ２を備えている。【００８１】  なお、領域Ｋｃ１は動画の先頭位置に結合する広告映像を選択するための領域であって、その右端をクリックすると、例えば、広告映像のタイトル名がポップアップメニュー形式で表示される。そして、投稿動画承認処理プログラムＰ５２は、承認管理者がマウスでその一つのタイトル名をクリックすると、広告映像インデックスＤＴ（Ｄ７）を検索する処理を行なって、そのタイトル名に係る広告映像を記憶する記憶領域を求める。この処理により、選択された広告映像を領域ｈ２に表示することが可能になる。【００８２】  領域Ｋｃ２は、投稿された動画ファイルの終端位置に結合する広告映像を選択するための領域であって、その操作は上記した領域Ｋｃ１と同様である。そして、承認管理者は領域ｈ２に表示された広告映像を視聴して所定の広告映像が選択されたことを確認すると、領域Ｋｃ３の「決定」ボタンをマウスでクリックする。【００８３】  領域Ｋｄは、広告映像を結合した広告映像付き動画が配信サーバ６ａの所定の記憶領域に記憶されたときに、再度、承認管理者がこの広告映像付き動画を視聴して視聴者の視聴端末装置７ａに配信するか否かの最終の承認情報を入力するための領域である。この最終の承認情報を入力する目的は、投稿された動画に所定の広告映像が正常に結合されているか否かをチェックするためである。【００８４】  領域Ｋｄには、広告映像付き動画の試聴を開始させてその動画を領域ｈ３に表示させる操作を行なう「試聴」ボタンＫｄ１、この試聴結果に基づいて承認管理者がこの広告映像付き動画を視聴者に配信することを承認する情報を入力するための「承認」ボタンＫｄ２、同じく視聴者に配信することを不許可にする情報を入力するための「戻す」ボタンＫｄ３、等を備えている。なお、承認管理者が「戻す」ボタンＫｄ３をクリックすると、投稿動画承認処理プログラムＰ５２は、例えば、動画承認用ＷｅｂページＫ１のＫｃ領域の広告映像を選択するボタンＫｃ１、Ｋｃ２の操作を再度行なうように制御を戻す処理を行なう。【００８５】  上記した動画承認用ＷｅｂページＫ１において、承認管理者が領域Ｋｃに表示された「決定」ボタンＫｃ３をクリックすると、ストックサーバ５が備えている上記したファイル変換プログラムＰ５３、広告映像結合プログラムＰ５４が順次作動して下記（１）〜（４）に記載の処理を行なう。【００８６】  （１）まず、ファイル変換プログラムＰ５３が作動して、メールサーバ４からストックサーバ５に送信された動画をＡＶＩ形式に変換する処理を行なう。この変換処理は、投稿者の携帯電話機１ａから送信（投稿）されたこの動画が、例えば、３ＧＰＰ形式又は３ＧＰＰ２であると、ファイル変換プログラムＰ５３のうち３ＧＰＰ形式又は３ＧＰＰ２形式のファイルをＡＶＩ形式に変換するプログラムを作動させてＡＶＩ形式に変換する処理を行なう。なお、ストックサーバ５に送信された動画が如何なるデータ形式であるかの判定は、動画のファイル名に付与されている拡張子をプログラムで判定する処理を行なうことにより可能である。【００８７】  （２）続いて、広告映像結合プログラムＰ５４が作動して、上記（１）によりＡＶＩ形式に変換した画像ファイルとＡＶＩ形式の広告映像ファイルとを、一つのＡＶＩ形式からなる広告付き映像に結合（連結）した、一つの動画ファイルに編集する処理を行なう。この処理が実行されると、画像ファイルの先頭位置に動画承認用ＷｅｂページＫ１の表示領域Ｋｃ１で選択した広告映像ファイルが結合され、さらに、画像ファイルの終端位置に表示領域Ｋｃ２で選択した広告映像ファイルが結合されたＡＶＩ形式の広告映像付き動画が作成されて、ストックサーバ５の記憶装置に一旦記憶される。【００８８】  （���）続いて、ファイル変換プログラムＰ５３を作動させて、上記（２）により作成したＡＶＩ形式の広告映像付き動画のファイルを、３ＧＰＰ形式、３ＧＰＰ２、等のファイルに変換する処理を行なって、それぞれ変換した動画ファイルをストックサーバ５の記憶装置に記憶する処理を行なう。なお、３ＧＰＰ形式と３ＧＰＰ２に変換された広告映像付き動画のファイルは、視聴者の携帯電話機７ａで視聴するためのデータ形式であって、それぞれ視聴する携帯電話機７ａの仕様に対応するために、３ＧＰＰ形式と３ＧＰＰ２形式の広告映像付き動画ファイルを作成するようにしている。【００８９】  （４）続いて、上記（３）により作成された３ＧＰＰ形式、３ＧＰＰ２等の広告映像付き動画ファイルと、この動画に係るチャンネル番号を，送受信処理プログラムＰ５１により配信サーバ６ａまたは６ｂに送信する。【００９０】  配信サーバ６ａ、６ｂは、送受信処理プログラムＰ６１、動画格納処理プログラムＰ６２、動画削除プログラムＰ６３、動画配信プログラムＰ６４、等を備えている。また、データベースとして、視聴者に配信する動画を記憶（格納）した動画データベースＤ９（以下、動画ＤＢ（Ｄ９）という）を備えている。【００９１】  送受信処理プログラムＰ６１は、ストックサーバ５からのデータの受信処理、及び他のサーバ等との通信を行なうためのプログラムである。【００９２】  動画格納処理プログラムＰ６２は、ストックサーバ５から３ＧＰＰ形式、３ＧＰＰ２形式の広告映像付き動画ファイルと、これら動画に対応するチャンネル番号を受信すると、これらデータを一旦、外部記装置等に記憶する。そして、これら受信した各ファイルを格納する記憶領域（ＵＲＬ）を作成する処理を行なう。動画格納処理プログラムＰ６２は、この動画ファイルを格納するＵＲＬを、例えば、下記（Ｕ１）の構成からなるＵＲＬを作成する処理を行なう。【００９３】  （Ｕ１）  ／スキーム名／配信サーバのドメイン名／ｍｏｖｉｅｓ／チャンネル番号．拡張子  なお、上記ＵＲＬ（Ｕ１）において、「／ｍｏｖｉｅｓ／」は最上位のホルダ（ディレクトリ）名を示し、「／チャンネル番号．拡張子」はファイル名を示す。すなわち、チャンネル番号をファイル名としたＵＲＬを作成する。【００９４】  続いて、動画格納処理プログラムＰ６２は、外部記装置等に記憶した３ＧＰＰ形式、３ＧＰＰ２形式の広告映像付き動画ファイルを、上記ＵＲＬ（Ｕ１）から構成される記憶領域に記憶する処理を行なう。これにより、投稿者が投稿した動画は、「ｍｏｖｉｅｓ」という名称を有するディレクトリ内に、それぞれチャンネル番号をファイル名として、３ＧＰＰ形式及び３ＧＰＰ２の動画が記憶されることになる。【００９５】  上記により広告映像付き動画ファイルをＵＲＬ（Ｕ１）に記憶する処理が終了すると、動画格納処理プログラムＰ６２は、配信サーバ６ａへの記憶（格納）終了を示すコマンド情報と共に上記ＵＲＬ（Ｕ１）のデータを、ストックサーバ５に送信する。ストックサーバ５の投稿動画承認処理プログラムＰ５２は、この格納終了を示す情報を受信すると、動画承認用ＷｅｂページＫ１の表示領域Ｋｄにその旨を示す情報を表示（図８には図示せず）して、承認管理者に領域Ｋｄの「���聴」ボタンＫｄ１のクリックを促す処理を行なうようにする。【００９６】  承認管理者が動画承認用ＷｅｂページＫ１の「試聴」ボタンＫｄ１をクリックすると、動画格納処理プログラムＰ６２は、配信サーバ６ａに格納した３ＧＰＰ形式、３ＧＰＰ２形式の広告映像付き動画ファイルを記憶するＵＲＬ（Ｕ１）とリンクを取って、３ＧＰＰ形式、３ＧＰＰ２形式の広告映像付き動画を順次領域ｈ３に表示する処理を行なう。そして、承認管理者は、広告映像付き動画の試聴が終了すると、視聴者への配信に係る承認情報を入力するために、上記した「承認」ボタンＫｄ２、または「戻す」ボタンＫｄ３の何れかをマウスでクリックする。【００９７】  なお、上記の広告映像付き動画の視聴を行なうために、動画承認用ＷｅｂページＫ１の領域Ｋｄに、それぞれ３ＧＰＰ、３ＧＰＰ２形式ごとに試聴を開始するための試聴ボタンを設けて、これらデータ形式ごとに承認情報を入力するようにしてもよい。【００９８】  承認管理者が「承認」ボタンＫｄ２をクリックしたときには、この視聴した広告映像付き動画は視聴者の携帯電話機７ａへの配信が承認されたことを示すので、投稿動画承認処理プログラムＰ５２はこの広告映像付き動画に設定されているチャンネル番号を管理サーバ３に送信する処理を行なう。【００９９】  一方、承認管理者が「戻す」ボタンＫｄ３をクリックしたときには、ストックサーバ４の投稿動画承認処理プログラムＰ５２は、受信した上記ＵＲＬ（Ｕ１）を配信サーバ６ａ、又は６ｂに送信する。これにより、配信サーバ６ａ、又は６ｂの動画削除プログラムＰ６３は、受信した上記ＵＲＬ（Ｕ１）に格納されている動画ファイルを削除する処理を行なう。一方、ストックサーバ５の投稿動画承認処理プログラムＰ５２は、例えば、動画承認用ＷｅｂページＫ１のＫｃ領域の広告映像を選択するボタンＫｃ１の再操作を行なうように制御を戻す処理を行なうようにする。【０１００】［システムの動作］
（ユーザ登録の手順）
続いて、本発明のシステムの動作について説明する。最初に、本システムを利用して動画を投稿するユーザが、投稿者としてのユーザ登録を行なう手順について説明する。図９は、本システムを利用して動画を投稿するためのユーザ登録を行なう手順とその処理の流れを示す図である。以下、図９に示すステップ順に説明する。【０１０１】（ステップＳ１）（ステップＳ２）
ユーザ登録を行なうユーザは、携帯電話機１ａを操作して、本システムに関する各種のサービスを行なう受付サイト２のホームページをアクセスし、続いて、このホームページからユーザ登録用Ｗｅｂページをアクセスする操作を行なう。この操作により、受付サイト２のユーザ登録プログラムＰ２１は、携帯電話機１ａに図１０に示すようなユーザ登録用ＷｅｂページＧ１を表示して、ユーザに係わる属性情報を取得して本システムに登録する処理を行なう。【０１０２】（ステップＳ３）
ユーザは、携帯電話機１ａの画面に表示されたユーザ登録用ＷｅｂページＧ１に、ユーザに係わる属性情報を入力して［送信］ボタンｇ１ｅをクリックする。このユーザに係わる属性情報としては、例えば、ユーザの氏名ｇ１ａ、ユーザの携帯電話機１ａのメールアドレスｇ１ｂと電話番号ｇ１ｃ、ユーザの住所ｇ１ｄ、等を取得するようにする。【０１０３】（ステップＳ４）
受付サイト２のユーザ登録プログラムＰ２１は、ステップＳ３によりユーザに係わる属性情報を取得すると、これら取得した情報を一旦、記憶装置に記憶する処理を行なう。【０１０４】（ステップＳ５）
受付サイト２のユーザ登録プログラムＰ２１は、ユーザ登録を行なおうとしているユーザの携帯電話機１ａに、図１１に示すような機体番号登録用ＷｅｂページＧ２を表示する処理を行なう。【０１０５】  機体番号登録用ＷｅｂページＧ２は、ユーザ登録を行なおうとしているユーザから、このユーザが所有している携帯電話機１ａの機体番号を取得して本システムに登録することに対する同意を得る機能と、ユーザが［同意］ボタンｇ２ａをクリックして同意するとこの携帯電話機１ａの機体番号を取得するための機能を備えている。なお、携帯電話機１ａの機体番号を取得する処理を行なうプログラムは、機体番号登録用ＷｅｂページＧ２を記述するプログラム内に組み込まれている。そして、ユーザが［同意］ボタンｇ２ａをクリックすると機体番号取得プログラムＰ２２が作動して、携帯電話機１ａの記憶装置に記憶されている機体番号を読み取って受付サイト２に送信する処理を行なう。【０１０６】（ステップＳ６）（ステップＳ７）
ユーザ登録を行なおうとしているユーザが機体番号登録用ＷｅｂページＧ２に表示されている［同意］ボタンｇ２ａをクリックして同意すると、前記したように受付サイト２は携帯電話機１ａの機体番号を取得し、取得した機体番号を一旦、記憶装置に記憶する処理を行なう。【０１０７】（ステップＳ８）
受付サイト２のユーザ登録プログラムＰ２１は、ステップＳ７により取得した機体番号に対するチャンネル番号の発行依頼を行なうために、取得した機体番号とユーザのメールアドレスを管理サーバ３に送信する。【０１０８】（ステップＳ９）
管理サーバ３は、受付サイト２から機体番号を受信すると次の処理を行なう。
（１）チャンネル番号発行プログラムＰ３４を作動させて、受信した機体番号に対するチャンネル番号を発行（作成）する処理を行ない、この発行したチャンネル番号を一旦、記憶装置に記憶する処理を行なう。【０１０９】  （２）データベース作成プログラムＰ３６を作動させて、Ｗｅｂサイト２から受信した機体番号及びユーザのメールアドレスと、この機体番号に対して上記により発行したチャンネル番号とを関連付けして、投稿管理ＤＢ（Ｄ３）に登録する処理を行なう。さらに、これらのデータを投稿管理ＤＢ（Ｄ３）に登録した登録日を、投稿管理ＤＢ（Ｄ３）の機体番号登録日ｃ１欄に登録する。また、データを投稿管理ＤＢ（Ｄ３）の投稿回数ｃ２欄には初期値「０」を記憶する処理を行なう。【０１１０】（ステップＳ１０）
管理サーバ３のチャンネル番号発行プログラムＰ３４は、発行したチャンネル番号をＷｅｂサイト２に送信する処理を行なう。【０１１１】（ステップＳ１１）
Ｗｅｂサイト２は、管理サーバ３から管理サーバ３が発行したチャンネル番号を受信すると、ユーザ登録プログラムＰ２１により次の処理を行なう。
（１）上記ステップＳ３〜Ｓ４で取得したユーザの属性情報と、ステップＳ６〜Ｓ７で取得した機体番号と、この機体番号に対して管理サーバ３が発行したチャンネル番号とを関連付けして投稿者ＤＢ（Ｄ１）に登録する処理を行なう。【０１１２】  （２）管理サーバ３から送信されたチャンネル番号を、ユーザ登録を行なうために受付サイト２をアクセスしているユーザの携帯電話機１ａに送信する処理を行なう。【０１１３】  （３）ユーザ登録を行なった動画投稿者が携帯電話機１ａから動画を投稿するためにアクセスするためのＵＲＬ（以下、動画投稿用ＵＲＬという）を、ユーザ登録を行なった動画投稿者の携帯電話機１ａに送信する処理を行なう。【０１１４】  ステップＳ１１の処理において、上記（２）、（３）の処理は、受付サイト２をアクセスしている携帯電話機１ａに、図１２に示すようなＷｅｂページ（機体番号登録完了通知Ｗｅｂページ）Ｇ３を表示して、ユーザ登録の操作が完了したことをユーザに通知するようにする。【０１１５】  機体番号登録完了通知ＷｅｂページＧ３には、表示領域ｇ３ａにユーザ登録を行なった投稿者の携帯電話機１ａの機体番号に対して発行したチャンネル番号を表示する。また、表示領域ｇ３ｂには、動画投稿者が携帯電話機１ａから動画を投稿するためにアクセスする動画投稿用ＵＲＬを表示する。本発明において、この動画投稿用ＵＲＬは管理サーバ３に設定されたＵＲＬであって、携帯電話機１ａが動画投稿用ＵＲＬをアクセスすると管理サーバ３の投稿支援プログラムＰ３１が作動する。【０１１６】  図１２に示すように、機体番号登録完了通知ＷｅｂページＧ３には、さらに、［動画投稿］ボタンｇ３ｃを表示している。そして、ユーザ登録の操作が完了したユーザが［動画投稿］ボタンｇ３ｃをクリックすると、携帯電話機１ａは動画投稿用ＵＲＬをアクセスするようになっている。これにより、ユーザ登録の操作が完了したユーザは、携帯電話機１ａに記憶している動画を直ちに投稿することが可能になる。【０１１７】（ステップＳ１２）
ユーザ登録の操作が完了したユーザは、携帯電話機１ａに表示された機体番号登録完了通知ＷｅｂページＧ３を閲覧して、本システムを利用する投稿者としてユーザ登録が完了したことを確認することができる。また、機体番号登録完了通知ＷｅｂページＧ３の表示領域ｇ３ｂには、動画投稿用ＵＲＬが表示されているので、このＵＲＬを携帯電話機１ａにブックマークとして登録しておくようにする。これにより、投稿者は、携帯電話機１ａに記憶している動画を簡単な操作で、何時でも投稿することが可能になる。【０１１８】  なお、上記したステップＳ３〜Ｓ４におけるユーザの属性情報を取得する処理は、前記したように、書面等を利用して入取する手段を採用してよく、少なくとも、携帯電話機の機体番号は受付サイト２をアクセスした携帯電話機から直接取得するようにする。【０１１９】（動画投稿の手順）
続いて、本システムの利用についてユーザ登録を行なった投稿者が、携帯電話機１ａから動画を投稿する手順と、この投稿された動画を配信サーバ６ａ又は６ｂに記憶（格納）するまでの手順を、図１３〜図１４に基づいて説明する。【０１２０】  図１３は、投稿者が携帯電話機１ａに記憶されている動画をメールサーバ４に送信し、メールサーバ４がこの投稿された動画を管理サーバ３の制御に基づいてストックサーバ５に送信し、ストックサーバ５はこの投稿された動画に対して所定の処理を行なった後、配信管理サーバ６ａ、６ｂに送信するまでの処理手順の流れを示している。以下、図１３に示すステップ順に説明する。【０１２１】（ステップＳ２１）
携帯電話機１ａで投稿する動画を撮影してこの動画を携帯電話機１ａの記憶装置に記憶した投稿者は、この携帯電話機１ａを操作して管理サーバ３の動画投稿用ＵＲＬをアクセスする。この動画投稿用ＵＲＬのアクセスは、下記（１）又は（２）に記載の方法により行なう。【０１２２】  （１）前記した図１２に示す機体番号登録完了通知ＷｅｂページＧ３の［動画投稿］ボタンｇ３ｃをクリックして動画投稿用ＵＲＬにアクセスする。
（２）同じく、前記した図１２に示す機体番号登録完了通知ＷｅｂページＧ３の表示領域ｇ３ｂに表示した動画投稿用ＵＲＬを、予め携帯電話機１ａにブックマークとして登録しておき、このブックマークとして登録した動画投稿用ＵＲＬをアクセスする。【０１２３】  上記（１）のアクセス方法は、ユーザ登録の操作が完了した時点で、直ちに機体番号登録完了通知ＷｅｂページＧ３を利用して動画を投稿するときに利用できる方法である。また、上記（２）のアクセス方法は、ユーザ登録が完了した後、及び投稿者が新規な動画を繰り返して投稿するときに利用する方法である。【０１２４】（ステップＳ２２）
携帯電話機１ａが投稿用ＵＲＬをアクセスすると、管理サーバ３の投稿支援プログラムＰ３１は、図１５に示す動画投稿ＷｅｂページＧ４を携帯電話機１ａに表示する処理を行なう。動画投稿ＷｅｂページＧ４を記述するプログラム言語内には、管理サーバ３をアクセスしている携帯電話機１ａの機体番号を取得する処理を行なう機体番号取得プログラムＰ３２が組み込まれている。【０１２５】（ステップＳ２３）（ステップＳ２４）
投稿者が動画投稿ＷｅｂページＧ４に表示されている［動画投稿］ボタンｇ４ａをクリックすると、動画投稿ＷｅｂページＧ４に組み込まれているプログラムは、管理サーバ３をアクセスしている携帯電話機１ａの機体番号を取得して管理サーバ３に送信する処理を行なう。【０１２６】（ステップＳ２５）
管理サーバ３は、上記ステップＳ２４により携帯電話機１ａの機体番号を取得すると、機体番号認証プログラムＰ３３を作動させて、取得した機体番号が投稿管理ＤＢ（Ｄ３）に登録されているか、すなわち、投稿者がユーザ登録を行なったときに取得した機体番号を有する携帯電話機１ａで動画を投稿しようとしているか否かを判定する。この判定処理の結果、投稿者が予め登録された機体番号を有する携帯電話機１ａで動画を投稿しようとしていると判定されると、ステップＳ２６に進む。一方、予め登録されていない機体番号を有する携帯電話機１ａで動画を投稿しようとしていると判定されると、動画投稿ＷｅｂページＧ４に「機体番号が未登録です」と表示して、管理サーバ３は投稿者の動画投稿に対する処理を終了させる。【０１２７】（ステップＳ２６）
管理サーバ３の投稿支援プログラムＰ３１は、図１６に示すＷｅｂページＧ５を携帯電話機１ａに表示する処理を行なう。図１６に示す動画投稿先連絡用ＷｅｂページＧ５は、投稿者に対して、携帯電話機１ａから動画を投稿するためにこの動画をメールに添付して送信する送信先となるアドレスを通知するためのＷｅｂページである。この動画を添付したメールを送信する送信先のアドレスは、メールサーバ４のアドレス（ｅ１）になる。【０１２８】  動画投稿先連絡用ＷｅｂページＧ５の表示領域ｇ５ａには、上記した動画を送信するメールサーバ４のアドレス（ｅ１）を表示している。また、表示ＷｅｂページＧ５の表示領域ｇ５ｂには、投稿者が動画を投稿するまでの時間的な期限を表示している。この時間期限は、例えば、携帯電話機１ａに動画投稿先連絡用ＷｅｂページＧ５の表示を行なった後、２０分以内にメールサーバ４から管理サーバ３に対して動画の受信に係わる情報の送信がない場合には、投稿支援プログラムＰ３１がこの動画の送信は無効とする処理を行なうための時間値となる。【０１２９】  このステップＳ２６の処理において、動画投稿先連絡用ＷｅｂページＧ５の表示領域ｇ５ａに表示するメールサーバ４のアドレス（ｅ１）は、投稿支援プログラムＰ３１により下記（１）〜（４）に記載の処理により求めることができる。【０１３０】  （１）上記ステップＳ２４〜Ｓ２５の処理で修得した機体番号について、投稿管理ＤＢ（Ｄ３）を参照する。
（２）上記（１）の処理により、取得した機体番号に対応して投稿管理ＤＢ（Ｄ３）に登録されているチャンネル番号ａ６を求める。【０１３１】  （３）上記（２）の処理により求めたチャンネル番号ａ６について、サーバ管理ＤＢ（Ｄ４）を参照して、このチャンネル番号ａ６のチャンネル番号範囲ｄ１に対応するサーバ区分ｄ２を求める。
（４）上記（３）の処理により求めたサーバ区分ｄ２について、サーバ別ＵＲＬＤＢ（Ｄ５）を参照して、このサーバ区分ｄ２の値に対応して、サーバ別ＵＲＬＤＢ（Ｄ５）登録されているメールサーバの投稿用アドレスを求める。この投稿用アドレスｅ１欄に登録されているアドレスが上記動画投稿先連絡用ＷｅｂページＧ５の表示領域ｇ５ａに表示するメールサーバ４のアドレスになる。【０１３２】  ステップＳ２６の処理において、管理サーバ３の投稿支援プログラムＰ３１は、携帯電話機１ａが動画を添付したメールをメールサーバ４に送信するためのメールの件名（メール件名）を自動生成する処理を行なう。そして、携帯電話機１ａが動画を添付したメールをメールサーバ４に送信するとき、このメール件名を、動画投稿先連絡用ＷｅｂページＧ５を記述したプログラムから取得できるようにする。このメール件名は、例えば、固有の所定の桁数を有する数字あるいは英数字から構成すると共に、投稿支援プログラムＰ３１は、このメール件名を携帯電話機１ａの機体番号又はこの機体番号に対応するチャンネル番号と関連付けして、記憶装置に一時記憶する処理を行なう。なお、上記メールの件名に機体番号又はこの機体番号を含ませることにより、投稿される動画がチャンネル番号との関連付けができるようにしてもよい。【０１３３】  このように、携帯電話機１ａから動画を添付したメールをメールサーバ４に送信するときに、このメールのメール件名を携帯電話機１ａの機体番号又はこの機体番号に対応するチャンネル番号と関連付けを行なう理由は、携帯電話機１ａから投稿される動画を、この携帯電話機１ａに対して設定された固有のチャンネル番号と対応付けを行なうためである。これにより、投稿された動画を配信サーバ６ａ等に記憶する処理、及び視聴者の携帯電話機７ａ等からの配信要求に対するプログラム制御が、簡単になるという効果が生じる。【０１３４】（ステップＳ２７）
投稿者は、動画投稿先連絡用ＷｅｂページＧ５の表示領域ｇ５ａをクリックして、携帯電話機１ａに記憶されている動画をメールサーバ４に送信するための操作を行なう。この操作を行なうと、動画投稿先連絡用ＷｅｂページＧ５を記述しているプログラムにより、携帯電話機１ａのメール送信プログラムが作動して、例えば、図１７に示すようなメールを作成するための画面Ｇ６が携帯電話機１ａに表示される。【０１３５】  図１７に示すメール作成画面Ｇ６に表示される内容は、携帯電話機の機種により若干異なるが基本的にはメールの送信先のアドレスを入力する欄ｇ６ａ、メールの件名を入力する欄ｇ６ｂ、メールに添付して送信するファイル名を入力する欄ｇ６ｃ、メッセージを入力する欄ｇ６ｄが表示される。動画投稿先連絡用ＷｅｂページＧ５を記述している言語内には、携帯電話機１ａのメール送信プログラムに対して下記（１）〜（２）に記載の処理を行なわせるためのプログラムが組み込まれている。【０１３６】  （１）メール送信先のアドレスを入力する欄ｇ６ａには、動画投稿先連絡用ＷｅｂページＧ５の表示領域ｇ５ａに表示したメールサーバ４の動画投稿用アドレス（ｅ１）を表示する。
（２）メールの件名を入力する欄ｇ６ｂには、上記ステップＳ２６において投稿支援プログラムＰ３１が作成したメール件名を表示する。
これにより、図１７に示すメール作成画面Ｇ６において、アドレスを入力する欄ｇ６ａとメールの件名を入力する欄ｇ６ｂには、プログラム処理により自動的に情報が入力されることになる。【０１３７】  従って、投稿者はメール作成画面Ｇ６において、添付ファイル入力欄ｇ６ｃとメッセージの入力欄ｇ６ｄに情報を入力する操作を行なうことになる。添付ファイル入力欄ｇ６ｃには、携帯電話機１ａに記憶され、投稿する動画のファイル名を入力する操作を行なう。メッセージの入力欄ｇ６ｄには、例えば、投稿する動画のタイトル名、カテゴリ、及び伝言等を入力する。これらメッセージの入力欄ｇ６ｄへの入力様式は、予め所定のフォーマットと入力文字数の最大値を決めておき、ユーザ登録した投稿者にメールで連絡するようにするとよい。投稿者は、メール作成画面Ｇ６への必要事項の入力が終了すると、携帯電話機１ａを操作してメールを送信する。【０１３８】（ステップＳ２８）
メールサーバ４は、携帯電話機１ａからメールを受信すると、メール受信処理プログラムＰ４により次の処理（１）〜（３）を行なう。
（１）受信したメールのメッセージ入力欄ｇ６ｄに記載されているテキストデータを解析して、例えば、タイトル名とカテゴリを取り出してメール件名と関連付けて記憶装置に記憶する処理を行なう。
（２）受信した動画をメール件名と関連付けて、一旦、外部記憶装置に記憶する処理を行なう。【０１３９】  （３）上記（１）の処理で記憶装置に記憶したメール件名、タイトル名及びカテゴリの内容を管理サーバ３に送信する処理を行なう。この送信処理は、管理サーバ３に対して携帯電話機１ａから受信した動画に係わるチャンネル番号と、このチャンネル番号に関してデータベースに登録している各種の情報の送信要求を行なうものである。この各種の情報とは、サーバ別ＵＲＬＤＢ（Ｄ５）に登録されているストックサーバのＵＲＬ（ｅ２）、配信サーバのＵＲＬ（ｅ３）、等である。【０１４０】（ステップＳ２９）
管理サーバ３の投稿支援プログラムＰ３１は、メールサーバ４からメール件名とメールのメッセージ内容を受信すると、一旦、記憶装置に記憶する処理を行なった後、次の処理（１）〜（３）を行なう。【０１４１】  （１）受信したメール件名について、ステップＳ２６の処理により記憶装置に記憶しておいたメール件名と関連付けされたチャンネル番号を求める。
（２）上記（１）の処理で求めたチャンネル番号について、サーバ管理ＤＢ（Ｄ４）を参照して、このチャンネル番号に対応するサーバ区分ｄ２の値を求める処理を行なう。
（３）続いて、上記（２）の処理で求めたサーバ区分ｄ２の値に対応して、サーバ別ＵＲＬＤＢ（Ｄ５）に登録されているストックサーバのＵＲＬ（ｅ２）と、配信サーバのＵＲＬ（ｅ３）を求め、これらのＵＲＬ情報を、投稿された動画に対応するチャンネル番号に関する情報として、このチャンネル番号と共にメールサーバ４に送信する処理を行なう。このとき、受信したメール件名も送信するようにする。【０１４２】（ステップＳ３０）
メールサーバ４のメール受信処理プログラムＰ４は、管理サーバ３からチャンネル番号、ストックサーバのＵＲＬ（ｅ２）、及び配信サーバのＵＲＬ（ｅ３）を受信すると、この受信したストックサーバのＵＲＬ（ｅ２）に、携帯電話機１ａから送信された動画と、管理サーバ３から受信したチャンネル番号及び配信サーバのＵＲＬ（ｅ３）を送信する処理を行なう。【０１４３】（ステップＳ３１）
ストックサーバ５の送受信処理プログラムＰ５１は、メールサーバ４から動画、チャンネル番号、配信サーバのＵＲＬ（ｅ３）、等の情報を受信すると、ストックサーバ５は次の処理（１）〜（５）を行なう。
（１）メールサーバ４から受信した動画を、この動画に対応するチャンネル番号と関連付けしたストックサーバ５の外部記憶装置の記憶領域に、一時記憶する処理を行なう。
（２）メールサーバ４から受信した動画に対応するチャンネル番号と配信サーバのＵＲＬ（ｅ３）とを関連付けして配信承認待テーブル（ＤＴ１）に記憶する処理を行なう。この配信承認待テーブル（ＤＴ１）のデータ構成の一例を図１８に示す。【０１４４】  配信承認待データテーブル（ＤＴ１）は、ストックサーバ５に送信された動画を視聴者の携帯電話機７ａ、７ｂへの配信について、配信可否の判定（承認情報）が与えられていない配信承認待ちの動画に関する情報を記憶するデータテーブルである。図１８に示すように、配信承認待データテーブル（ＤＴ１）は、チャンネル番号ａ６ごとに、配信サーバのＵＲＬ（ｅ３）、ストックサーバへの動画の受信日時ｆ１、等に関する情報を先入れ先出し方式により記憶する。すなわち、受信日時ｆ１が古い順に、チャンネル番号に関する情報が配信承認待データテーブル（ＤＴ１）の先頭から記憶する処理を行なうようにする。【０１４５】  （３）承認管理者は、端末装置５ａを操作してストックサーバ５に送信された動画を、前もって視聴し、視聴した動画について視聴者の携帯電話機７ａへの配信許可又は不許可の判定、すなわち、承認情報を入力する処理を行なう。
（４）承認管理者の視聴により配信許可を得た動画ファイルについて、企業等の広告映像を結合する処理を行なう。
（５）この投稿者が投稿した動画に広告映像を結合した広告付映像のファイルを、配信サーバ６ａ又は６ｂに送信する処理を行なう。
以下、上記（３）のストックサーバ５に送信された動画に対して、承認管理者が配信承認を判定する処理と、それ以降の処理の流れとその処理内容を、図１４に示す処理フロー図のステップ順に説明する。【０１４６】（投稿された動画の配信承認の処理）
（ステップＳ４１）
承認管理者は端末装置５ａを操作して、ストックサーバ５に送信された動画について、承認情報を入力する処理を行なうためのＵＲＬをアクセスする。このＵＲＬは、ストックサーバ５に設定されたＵＲＬである。このとき、承認管理者は、承認管理者用ＩＤとパスワードを入力してストックサーバ５をアクセスするようにする。【０１４７】（ステップＳ４２）
ストックサーバ４は、上記ステップＳ４１により端末装置５ａからアクセスされると、投稿動画承認処理プログラムＰ５２により、図８に示す動画承認用ＷｅｂページＫ１を端末装置５ａに表示する処理を行なう。投稿動画承認処理プログラムＰ５２は動画承認用ＷｅｂページＫ１を表示するときに、配信承認待テーブルＤＴ１を検索して、ストックサーバ５にアップロードされた動画について、配信承認待テーブルＤＴ１に承認情報を入力していない動画のチャンネル番号が記憶されているか否かを判定する。この判定処理により、配信承認待テーブルＤＴ１に承認情報を入力していない動画のチャンネル番号が記憶されていると、その件数を新着動画件数として動画承認用ＷｅｂページＫ１の表示領域ｋａ２に表示する。なお、新着動画件数が「０」と判定されると、投稿動画承認プログラムＰ５２の処理は終了する。新着動画件数が「１」以上ある場合には次のステップＳ４３に進む。【０１４８】（ステップＳ４３）
承認管理者は、動画承認用ＷｅｂページＫ１の「試聴」ボタンＫｂ１をクリックする。すると、投稿動画承認処理プログラムＰ５２は配信承認待テーブルＤＴ１に記憶されているチャンネル番号のうち、動画受信日時ｆ１のうち最も古いチャンネル番号を動画承認用ＷｅｂページＫ１の表示領域Ｋｅに表示する処理を行なう。また、動画承認用ＷｅｂページＫ１を記述するプログラム言語内には、この表示したチャンネル番号に関連付けしてストックサーバ４の所定の記憶領域に記憶されている動画ファイルとリンクして、この投稿された動画を表示領域ｈ１に再生して表示するためのプログラムを組み込んでおく。これにより、承認管理者が「試聴」ボタンＫｂ１をクリックすると、表示領域Ｋｅに表示されているチャンネル番号が設定されている動画が表示領域ｈ１に再生して表示される。【０１４９】（ステップＳ４４）
承認管理者は、表示領域ｈ１に表示された動画を視聴する。この視聴結果、この動画に有害な動画等が含まれ、視聴者の携帯電話機７ａへの配信は好ましくないと判断すると、動画承認用ＷｅｂページＫ１の「不可」ボタンＫｂ３をマウスでクリックする。【０１５０】（ステップＳ４５）
承認管理者が「不可」ボタンＫｂ３をマウスでクリックすると、ストックサーバ５はこの「不可」情報を取得することができる。ストックサーバ５はこの「不可」情報を取得すると、投稿動画承認処理プログラムＰ５２は、この「不可」情報が入力されたチャンネル番号に対応して配信承認待テーブルＤＴ１に記憶されているチャンネル番号について、このチャンネル番号ａ６と、チャンネル番号ａ６に関連付けされている配信サーバのＵＲＬ（ｅ３）と動画の受付日時ｆ１に関するデータを削除する処理を行なう。さらに、投稿動画承認処理プログラムＰ５２は、この「不可」に係る承認情報を取得したチャンネル番号が設定されている動画を、ストックサーバ５の記憶領域から削除する処理を行なう。続いて、この「不可」に係る制御コマンドと共に、不可と判定された動画のチャンネル番号を管理サーバ３に送信する。【０１５１】（ステップＳ４６）
管理サーバ３の投稿支援プログラムＰ３１は、上記ステップＳ４５による不可に係る情報を受信すると、投稿者の携帯電話機１ａに「動画投稿の受付拒否」に係わるメールを送信する処理を行なう。
本発明においては、これらステップＳ４４〜Ｓ４６の処理により、ストックサーバ５にアップロードされた動画のうち、有害な動画等が含まれている動画は、視聴者の携帯電話機７ａに送信することを防止できる。【０１５２】（ステップＳ４７）（ステップＳ４８）
一方、動画の視聴結果、承認管理者が動画承認用ＷｅｂページＫ１の「許可」ボタンＫｂ２をマウスでクリックすると、ストックサーバ５は「許可」に係わる情報を取得することができるので、投稿動画承認処理プログラムＰ５２は、広告映像結合プログラムＰ５４に制御を移行させて、動画承認用ＷｅｂページＫ１に表示している広告映像の選択ボタンＫｃ１、Ｋｃ２のクリック待ちの状態に設定する。【０１５３】（ステップＳ４９）（ステップ５０）
前記したように、承認管理者が広告映像の選択ボタンＫｃ１、又はＫｃ２をマウスでクリックして動画に結合する広告映像を選択すると、広告映像結合プログラムＰ５４は、広告映像インデックスＤＴ（Ｄ８）を参照して、選択された広告映像が表示領域ｈ２に再生して表示する処理を行なう。これにより、承認管理者は選択した広告映像の選択間違いの有無を確認することができる。【０１５４】  なお、承認管理者による広告映像の選択は、予め選択する基準を作成しておき、この基準に基づいて承認管理者が選択するようにする。例えば、表示領域ｈ１に表示された動画の内容に応じて、適切な広告映像を選択するようにする。【０１５５】（ステップＳ５１）
承認管理者が動画承認用ＷｅｂページＫ１の「決定」ボタンＫｃ３をマウスでクリックすると、ストックサーバ５はこの「決定」に係わる情報を取得することができる。ストックサーバ５は、「決定」に係わる情報を取得すると広告映像結合プログラムＰ５４を作動させて、上記ステップＳ４７により「許可」の承認情報を取得した動画ファイルに、ステップＳ４９により選択された広告映像を結合する処理を実行する。【０１５６】（ステップＳ５２）
承認管理者が「決定」ボタンＫｃ３をマウスでクリックすると、広告映像結合プログラムＰ５４は下記（１）〜（３）に記載の処理を実行する。【０１５７】  （１）まず、ファイル変換プログラムＰ５３が作動して投稿された動画のファイルを、ＡＶＩ形式のファイルに変換する処理を行なう。
（２）続いて、広告映像結合プログラムＰ５４に含まれているファイル結合処理プログラムが作動して、ＡＶＩ形式に変換した動画ファイルの先頭位置と終端位置とに、承認管理者がそれぞれ選択した広告映像を結合する処理を行なう。この処理により、ＡＶＩ形式の動画の先頭位置と終端位置とに、広告映像を結合した一つのＡＶＩ形式からなる広告映像付きの動画ファイルが作成される。【０１５８】  （３）続いて、ＡＶＩ形式からなる広告映像付きの動画ファイルを、ファイル変換プログラムＰ４２により、例えば、２種のデータ形式、すなわち、携帯電話機で再生可能な３ＧＰＰ形式、３ＧＰＰ−２形式からなる広告映像付き動画ファイルを作成する処理を行なって、ストックサーバ５の所定の記憶領域に記憶する。続いて、これら２種の広告映像付き動画ファイルと、この広告映像付き動画ファイルに対応するチャンネル番号とを、このチャンネル番号に対応してメールサーバ４から取得した配信サーバ６ａまたは６ｂのＵＲＬ（ｅ３）に送信する処理を行なう。【０１５９】（ステップＳ５３）
配信サーバ６ａは、上記ステップＳ５２によりストックサーバ５から広告映像付き動画ファイルとこれら動画に係るチャンネル番号とを受信すると、次の処理（１）〜（３）を行なう。【０１６０】  （１）まず、動画格納処理プログラムＰ６２を作動させて、これら受信した２種の広告映像付き動画ファイルを格納するための記憶領域（ＵＲＬ）を作成する処理を行なう。これらの広告映像付き動画ファイル等を格納するＵＲＬは、前記（ＵＩ）から構成されるＵＲＬを作成する。
（２）続いて、動画格納処理プログラムＰ６２は、これら２種の広告映像付き動画ファイルを、それぞれ前記（ＵＩ）から構成されるＵＲＬに記憶する処理を行なう。
（３）続いて、動画格納処理プログラムＰ６２は、広告映像付き動画ファイル等の格納処理終了の制御コマンドをストックサーバ５に送信する。【０１６１】（ステップＳ５４）
ストックサーバ５の投稿動画承認処理プログラムＰ５２は、上記（３）により配信サーバ６ａから格納処理終了の制御コマンドを受信すると、端末装置５ａに表示している動画承認用ＷｅｂページＫ１の［試聴］ボタンＫｄ１の表示を、例えば、点滅させて表示する処理を行なう。この点滅表示は、承認管理者に対して［試聴］ボタンＫｄ１のクリック操作を促すための処理である。【０１６２】（ステップＳ５５）
承認管理者が動画承認用ＷｅｂページＫ１の「試聴」ボタンＫｄ１をマウスでクリックすると、上記ステップＳ５３により配信サーバ６ａに記憶した広告映像付き動画のＵＲＬ（Ｕ１）とリンクを取って、この動画を動画承認用ＷｅｂページＫ１の表示領域ｈ３に再生して表示する。そして、承認管理者は、表示領域ｈ３に表示された広告映像付き動画を視聴して、この広告映像付き動画を視聴者の携帯電話機７ａに配信すべきか否かの最終の承認情報を「承認」ボタンＫｄ２、又は「戻す」ボタンＫｄ３のクリック操作により入力する。【０１６３】（ステップＳ５６）（ステップＳ５７）（ステップＳ５８）
投稿動画承認処理プログラムＰ５２は、端末装置５ａに表示された動画承認用ＷｅｂページＫ１から「承認」ボタンＫｄ２のクリックに伴なう承認情報を取得すると、視聴端末装置７ａへの配信が承認されたことを示す制御コマンドを、この承認された動画のチャンネル番号と共に、管理サーバ３に送信する。さらに、投稿動画承認処理プログラムＰ５２は、「承認」に伴なう承認情報を取得したチャンネル番号に関する情報を、配信承認待テーブルＤＴ１から削除すると共に、チャンネル番号が設定された動画ファイルを削除する処理を行なう。
一方、「戻す」ボタンＫｄ３のクリックに伴なう承認情報を取得すると、「戻す」に係る制御コマンドと共に、「戻す」と判定された動画のチャンネル番号を配信サーバ６ａに送信する。【０１６４】（ステップＳ５９）
管理サーバ３の投稿支援プログラムＰ３１は、上記ステップＳ５８によりストックサーバ５から承認された動画のチャンネル番号を受信すると、次の処理を行なう。
（１）受信したチャンネル番号に対応して投稿管理ＤＢ（Ｄ３）の投稿回数ｃ２欄に記憶している値を「＋１」して記憶する処理を行なう。この処理は、投稿者の携帯電話機１ａから動画が投稿された回数をカウントするためである。【０１６５】  （２）投稿管理ＤＢ（Ｄ３）を参照して、受信したチャンネル番号に対応する投稿者の携帯電話機１ａのメールアドレスａ５を求め、このメールアドレスａ５に「動画投稿処理の完了」を表すメールを送信する処理を行なう。このメールにより、投稿者は投稿した動画が正常に受付け処理されたことを確認できる。
（３）ストックサーバ５から受信した動画のチャンネル番号、及び前記ステップＳ２９の処理においてメールサーバ４から受信して記憶装置に記憶しておいたメッセージ情報（動画タイトル名、カテゴリ等）を、受付サイト２に送信する処理を行なう。【０１６６】（ステップＳ６０）
配信サーバ６ａの動画削除プログラムＰ６３は、承認管理者による上記ステップＳ５７の操作に基づいて、ストックサーバ５から「戻す」の制御コマンドに係わるチャンネル番号を受信すると、このチャンネル番号に対応する広告映像付き動画ファイルを、配信サーバ６ａの記憶領域から削除する処理を行なう。そして、プログラムの制御を上記ステップＳ４９に戻して、承認管理者に再度広告映像を選択させる操作を行なわせるようにする。【０１６７】  なお、ストックサーバ５は、上記ステップＳ４５、またはステップＳ５８の処理が終了すると、投稿動画承認処理プログラムＰ５２は配信承認待テーブルＤＴ１を検索して、承認管理者から承認情報を取得していない動画の有無を判定する。そして、まだ、承認情報を付与していない動画が残っている場合には、動画承認用ＷｅｂページＫ１の表示領域Ｋａ２の表示（新着動画件数）を「−１」して表示し、さらに、表示領域Ｋｅのチャンネル番号の表示を更新して、プログラムの制御をステップＳ４３に戻す処理を行なう。これにより、承認管理者は配信承認待テーブルＤＴ１に登録されている承認待ちのチャンネル番号に対応する動画を視聴して、上記手順により承認情報を動画承認用ＷｅｂページＫ１に入力する操作を継続して行なうことができる。【０１６８】  受付サイト２は、上記ステップＳ５９の処理に基づいて、ストックサーバ５から動画のチャンネル番号、及びメッセージ情報（動画タイトル名、カテゴリ等）を受信すると、これら受信したデータを、動画投稿状況蓄積ＤＢ（Ｄ２）に登録する処理を行なう。なお、動画投稿状況蓄積ＤＢ（Ｄ２）に登録する投稿者名ａ１は、ストックサーバ５から受信したチャンネル番号について投稿者ＤＢ（Ｄ１）を参照して求める処理を行なう。
以上に説明した処理により、投稿者が携帯電話機１ａから投稿した動画を、管理サーバ３の制御に基づいて、配信サーバ６ａ又は６ｂの記憶領域に記憶することができる。【０１６９】（動画の配信要求）
続いて、本発明のシステムを利用して視聴者が視聴端末装置７ａを操作して、動画の配信要求を行なう手順ついて説明する。この手順は、例えば、下記（１）〜（７）に記載の手順により実施することができる。なお、本システムの管理者側は、受付サイト２が備えている動画投稿状況蓄積ＤＢ（Ｄ２）を利用して、前記した配信要求用Ｗｅｂページをインターネット８上に公開する。この配信要求用Ｗｅｂページは、携帯電話機のサービス会社の公式サイトとして登録されるようにすることが望ましい。そして、この配信要求用Ｗｅｂページから、視聴者が配信要求を行なうための動画を検索するための検索用Ｗｅｂページにリンクが貼られるようにする。【０１７０】  （１）この検索用Ｗｅｂページは、動画投稿状況蓄積ＤＢ（Ｄ２）を参照して、例えば、投稿者名ａ１、動画タイトル名ｂ２、あるいはカテゴリｂ３別に、最新の動画投稿リストを過去数日間にわたって表示するようにする。【０１７１】  （２）視聴者は、例えば、上記（１）により携帯電話機７ａに表示された投稿者名ａ１に関する動画投稿リストから視聴者したい投稿者名をクリックする。【０１７２】  （３）上記（２）により、視聴者が視聴者したい投稿者名をクリックすると、配信要求受付プログラムＰ２４は動画投稿状況蓄積ＤＢ（Ｄ２）に登録されている情報を検索する処理を行なう。この検索処理は、例えば、クリックされた投稿者名であって、投稿年月日ｂ１が最も新しいチャンネル番号ａ６を求める処理を行なう。【０１７３】  （４）配信要求受付プログラムＰ２４は、上記（３）により求めたチャンネル番号を、管理サーバ３に送信する。
（５）管理サーバ３の配信制御プログラムＰ３５は、受付サイト２からチャンネル番号を受信すると、サーバ管理ＤＢ（Ｄ４）を参照してこの受信したチャンネル番号に対応するサーバ区分ｄ２の値を求める。続いて、サーバ別ＵＲＬＤＢ（Ｄ５）を参照して、求めたサーバ区分ｄ２に対応して登録されている配信サーバのＵＲＬ（ｅ３）を求める処理を行なう。【０１７４】  （６）管理サーバ３の配信制御プログラムＰ３５は、上記（５）の処理で求めた配信サーバのＵＲＬ（ｅ３）を受付サイト２に送信する。受付サイト２は管理サーバ３から配信サーバのＵＲＬ（ｅ３）を受信すると、この受信したＵＲＬ（ｅ３）と上記（３）の処理で求めたチャンネル番号ａ６とから、視聴者が配信要求した動画を記憶する配信サーバ６ａまたは６ｂのＵＲＬを前記したＵＲＬ（Ｕ１）として求める処理を行なう。【０１７５】  （７）受付サイト２は、上記（６）により求めた配信サーバ６ａまたは６ｂのＵＲＬを、配信要求を行なった携帯電話機７ａに送信する処理を行なう。そして、視聴者の携帯電話機７ａは、動画を記憶する配信サーバ６ａまたは６ｂのＵＲＬを受信すると、ＷｅｂブラウザがこのＵＲＬをアクセスしてこの動画ファイルをダウンロードして、携帯電話機７ａの画面に動画を再生して表示する処理を行なう。これにより、視聴者は配信要求した動画を視聴することができる。また、この動画を視聴するとき、動画の最初と終りの各数秒間は広告映像が表示されるので、広告主は企業等の広告効果を得ることができる。【０１７６】  なお、上記した配信要求に対する処理において、受付サイト２が視聴者の携帯電話機７ａから配信要求を受信すると、この受信情報からこの携帯電話機７の電話サービス会社を特定することができる。従って、受付サイト２は、この電話サービス会社に係わる情報と、上記（７）により管理サーバから受信した配信サーバのＵＲＬ（ｅ３）に基づいて、配信要求を行なった携帯電話機７ａに適合する動画を記憶する配信サーバのＵＲＬ（ｅ３）を求めることができる。【０１７７】  以上に説明した本発明の実施形態において、投稿管理ＤＢ（Ｄ３）の投稿回数ｃ２欄に記憶する投稿回数は、ユーザ登録した投稿者がユーザ登録日（機体番号をの登録日ｃ１）から、例えば、６ケ月間に、投稿可能な回数に制限を設けるために利用することができる。そして、投稿回数が予め設定された制限値を超えると、投稿者は再度ユーザ登録を行なうようにする。【０１７８】  また、投稿者が動画と投稿するために利用する携帯電話機の機種変更を行なった場合には、受付サイト２は機種変更用のＷｅｂページを設けて、このＷｅｂページから機種変更した携帯電話機の機体番号を取得するようにするとよい。
【図面の簡単な説明】
【０１７９】
【図１】  本発明のシステムを実施するためのシステム構成の一例を示す図である。
【図２】  図１に示すサーバが備えているプログラムとデータベースの構成の一例を説明するための図である。
【図３】  図１に示す受付サイトが備えている投稿者データベースのデータ構成の一例を説明するための図である。
【図４】  図１に示す受付サイトが備えている動画投稿状況蓄積データベースのデータ構成の一例を説明するための図である。
【図５】  図１に示す管理サーバが備えている投稿管理データベースのデータ構成の一例を説明するための図である。
【図６】  図１に示す管理サーバが備えているサーバ管理データベースのデータ構成の一例を説明するための図である。
【図７】  図１に示す管理サーバが備えているサーバ別ＵＲＬデータベースのデータ構成の一例を説明するための図である。
【図８】  図１に示す端末装置に表示される動画承認用Ｗｅｂページの一例を説明するための図である。
【図９】  本発明のシステムにおいて、動画を投稿するユーザがユーザ登録を行なうときの手順を説明するための図である。
【図１０】  動画を投稿するユーザがユーザ登録を行なうときに、受付サイトがユーザの携帯電話機に表示するユーザ登録用Ｗｅｂページの一例を説明するための図である。
【図１１】  同じく、ユーザ登録を行なうときに、受付サイトがユーザの携帯電話機の機体番号を取得するために、この携帯電話機に表示する機体番号登録用Ｗｅｂページの一例を説明するための図である。
【図１２】  同じく、ユーザ登録を行なうときに、受付サイトがユーザの携帯電話機の機体番号の取得完了を通知するＷｅｂページの一例を説明するための図である。
【図１３】  本発明のシステムにおいて、投稿者が動画を投稿する手順について説明するための図である。
【図１４】  同じく、本発明のシステムにおいて、投稿者が動画を投稿する手順について説明するための図である。
【図１５】  投稿者が動画を投稿するときに、管理サーバが投稿者の携帯電話機に表示するＷｅｂページの一例を説明するための図である。
【図１６】  同じく、投稿者が動画を投稿するときに、管理サーバが投稿者の携帯電話機に表示するＷｅｂページの一例を説明するための図である。
【図１７】  同じく、投稿者が携帯電話機から動画をメールに添付して投稿するときに、携帯電話機に表示されるメール作成画面の一例を説明するための図である。
【図１８】  図１に示すストックサーバが備えている配信承認待テーブルのデータ構成の一例を説明するための図である。
【符号の説明】
【０１８０】  １ａ、１ｂ：投稿者の携帯電話機
２  ：受付サイト
３  ：管理サーバ
４  ：メールサーバ
５  ：ストックサーバ
５ａ：端末装置
６ａ、６ｂ：配信サーバ
７ａ、７ｂ：視聴者の携帯電話機
７ｃ：視聴者の端末装置（視聴端末装置）
８  ：インターネット
Ｄ１：投稿者データベース
Ｄ２：動画投稿状況蓄積データベース
Ｄ３：投稿管理データベース
Ｄ５：サーバ別ＵＲＬデータベース
Ｋ１：動画承認用Ｗｅｂページ
Ｐ２１：ユーザ登録プログラム
Ｐ２２：機体番号取得プログラム
Ｐ３１：投稿支援プログラム
Ｐ３２：機体番号取得プログラム
Ｐ３４：チャンネル番号発行プログラム
Ｐ４  ：メール受信処理プログラム
Ｐ５２：投稿動画承認処理プログラム
Ｐ６２：動画格納処理プログラム
【図１】
2008071330.tif 000003
【図２】
2008071330.tif 000004
【図３】
2008071330.tif 000005
【図４】
2008071330.tif 000006
【図５】
2008071330.tif 000007
【図６】
2008071330.tif 000008
【図７】
2008071330.tif 000009
【図８】
2008071330.tif 000010
【図１６】
2008071330.tif 000011
【図９】
2008071330.tif 000012
【図１０】
2008071330.tif 000013
【図１１】
2008071330.tif 000014
【図１２】
2008071330.tif 000015
【図１５】
2008071330.tif 000016
【図１３】
2008071330.tif 000017
【図１４】
2008071330.tif 000018
【図１７】
2008071330.tif 000019
【図１８】
2008071330.tif 000020